(57)【要約】【課題】  表示領域の外側に、走査信号線や映像信号線と絶縁層を介して立体的に交差するバスラインが設けられた基板において、各信号線とバスラインが短絡したときの修復を容易にする。【解決手段】  一対の基板の間に液晶材料が封入された液晶表示パネルを有する液晶表示装置であって、前記一対の基板のうちの一方の基板は、表示領域の外側に配置され、かつ、前記表示領域の内側にある第１の導電層と電気的に接続されたバスラインと、絶縁層を介して前記バスラインと立体的に交差する複数本の信号線とを有し、前記バスラインは、平面でみて前記信号線と重なる交差領域の外側に開口部を有し、前記開口部は、各交差領域の両側に設けられている液晶表示装置。【選択図】        図６
2007322640.tif 000002
【特許請求の範囲】
【請求項１】
一対の基板の間に液晶材料が封入された液晶表示パネルを有する液晶表示装置であって、
前記一対の基板のうちの一方の基板は、表示領域の外側に配置され、かつ、前記表示領域の内側にある第１の導電層と電気的に接続されたバスラインと、
絶縁層を介して前記バスラインと立体的に交差する複数本の信号線とを有し、
前記バスラインは、平面でみて前記信号線と重なる交差領域の外側に開口部を有し、
前記開口部は、各交差領域の両側に設けられていることを特徴とする液晶表示装置。
【請求項２】
前記バスラインは、２つの隣接する前記交差領域で挟まれた領域に、該交差領域における前記信号線の延在方向に並んだ２つ以上の開口部を有することを特徴とする請求項１に記載の液晶表示装置。
【請求項３】
前記バスラインは、２つの隣接する前記交差領域で挟まれた領域に、前記２つの隣接する交差領域のうちの一方の交差領域の近傍で、該交差領域における前記信号線の延在方向に並んだ２つ以上の開口部と、
前記２つの隣接する前記交差領域のうちの他方の交差領域の近傍で、該交差領域における前記信号線の延在方向に並んだ２つ以上の開口部とを有することを特徴とする請求項１または請求項２に記載の液晶表示装置。
【請求項４】
前記バスラインを有する基板は、平面でみて前記バスラインと重なる領域に、絶縁層を介して設けられた第２の導電層を有し、
前記バスラインと前記第２の導電層とは、スルーホールで電気的に接続されていることを特徴とする請求項１乃至請求項３のいずれか１項に記載の液晶表示装置。
【請求項５】
前記バスラインを有する基板は、複数本の走査信号線と、絶縁層を介して前記複数本の走査信号線と立体的に交差する映像信号線と、２本の隣接する走査信号線および２本の隣接する映像信号線で囲まれた領域に対して配置されるＴＦＴ素子および画素電極と、対向電極とを有し、
前記第１の導電層は、前記対向電極であることを特徴とする請求項１乃至請求項４に記載の液晶表示装置。
【発明の詳細な説明】
【技術分野】
【０００１】
本発明は、液晶表示装置に関し、特に、表示領域の外側にバスラインが設けられた液晶表示装置に適用して有効な技術に関するものである。
【背景技術】
【０００２】
従来、液晶表示装置は、テレビ、パーソナル・コンピュータ（ＰＣ）向けのディスプレイ、携帯電話端末や携帯情報端末（ＰＤＡ）などのディスプレイなどに幅広く用いられている。
【０００３】
前記液晶表示装置は、一対の基板の間に液晶材料を封入した液晶表示パネルを有する表示装置である。このとき、前記一対の基板のうちの一方の基板は、たとえば、複数本の走査信号線と、絶縁層を介して前記複数本の走査信号線と立体的に交差する映像信号線と、２本の隣接する走査信号線および２本の隣接する映像信号線で囲まれた画素領域に対して配置されるＴＦＴ素子および画素電極を有する。前記ＴＦＴ素子および前記画素電極を有する基板は、一般に、ＴＦＴ基板と呼ばれる。
【０００４】
また、前記ＴＦＴ基板には、たとえば、複数の前記画素領域で構成される表示領域の外側にバスラインと呼ばれる導電層が設けられていることがある（たとえば、特許文献１を参照）。
【０００５】
前記液晶表示パネルが、たとえば、ＩＰＳ（Ｉｎ−Ｐｌａｎｅ  Ｓｗｉｔｃｈｉｎｇ）方式のような横電界駆動方式のものである場合、前記ＴＦＴ基板には対向電極（共通電極とも呼ばれる）も設けられている。このとき、前記ＴＦＴ基板は、表示領域の外側に前記対向電極と電気的に接続されているバスラインを有する。
【０００６】
また、前記液晶表示パネルが、たとえば、ＴＮ方式やＶＡ方式のような縦電界駆動方式のものである場合、ＴＦＴ基板に保持容量（蓄積容量とも呼ばれる）を形成するための保持容量線が設けられていることがある。このとき、前記ＴＦＴ基板は、表示領域の外側に前記保持容量線と電気的に接続されているバスラインを有する。
【特許文献１】特開２００３−１５６７６３号公報
【発明の開示】
【発明が解決しようとする課題】
【０００７】
ＴＦＴ基板の表示領域の外側にバスラインを設ける場合、表示領域を囲むように環状に設けるのが一般的である。そのため、前記走査信号線や前記映像信号線は、表示領域の外側において、バスラインと立体的に交差する。
【０００８】
このとき、各信号線とバスラインが交差する交差領域には、たとえば、窒化シリコン（ＳｉＮ）膜などの絶縁層と、ＴＦＴ素子のチャネル層と同時に形成した半導体層を介在させて、各信号線とバスラインの短絡を防いでいる。
【０００９】
しかしながら、前記絶縁層や前記半導体層を形成する工程において欠陥が生じ、たとえば、ある映像信号線とバスラインが短絡してしまうことがある。
【００１０】
従来のＴＦＴ基板においてバスラインを設ける場合、そのバスラインの幅は、走査信号線や映像信号線の幅に比べて非常に広い。そのため、たとえば、ある映像信号線とバスラインが短絡した場合、その修復（リペア）は非常に困難であるという問題があった。また、その結果として、ＴＦＴ基板の製造歩留まりが低下するという問題があった。
【００１１】
本発明の目的は、表示領域の外側に、走査信号線や映像信号線と絶縁層を介して立体的に交差するバスラインが設けられた基板において、各信号線とバスラインが短絡したときの修復を容易にすることが可能な技術を提供することにある。
【００１２】
本発明の他の目的は、表示領域の外側に、走査信号線や映像信号線と絶縁層を介して立体的に交差するバスラインが設けられた基板の製造歩留まりを向上させることが可能な技術を提供することにある。
【００１３】
本発明の前記ならびにその他の目的と新規な特徴は、本明細書の記述および添付図面によって明らかになるであろう。
【課題を解決するための手段】
【００１４】
本願において開示される発明のうち、代表的なものの概略を説明すれば、以下の通りである。
【００１５】
（１）一対の基板の間に液晶材料が封入された液晶表示パネルを有する液晶表示装置であって、前記一対の基板のうちの一方の基板は、表示領域の外側に配置され、かつ、前記表示領域の内側にある第１の導電層と電気的に接続されたバスラインと、絶縁層を介して前記バスラインと立体的に交差する複数本の信号線とを有し、前記バスラインは、平面でみて前記信号線と重なる交差領域の外側に開口部を有し、前記開口部は、各交差領域の両側に設けられている液晶表示装置。
【００１６】
（２）前記（１）の液晶表示装置において、前記バスラインは、２つの隣接する前記交差領域で挟まれた領域に、該交差領域における前記信号線の延在方向に並んだ２つ以上の開口部を有する液晶表示装置。
【００１７】
（３）前記（１）または（２）の液晶表示装置において、前記バスラインは、２つの隣接する前記交差領域で挟まれた領域に、前記２つの隣接する交差領域のうちの一方の交差領域の近傍で、該交差領域における前記信号線の延在方向に並んだ２つ以上の開口部と、前記２つの隣接する前記交差領域のうちの他方の交差領域の近傍で、該交差領域における前記信号線の延在方向に並んだ２つ以上の開口部とを有する液晶表示装置。
【００１８】
（４）前記（１）乃至（３）のいずれかの液晶表示装置において、前記バスラインを有する基板は、平面でみて前記バスラインと重なる領域に、絶縁層を介して設けられた第２の導電層を有し、前記バスラインと前記第２の導電層とは、スルーホールで電気的に接続されている液晶表示装置。
【００１９】
（５）前記（１）乃至（４）のいずれかの液晶表示装置において、前記バスラインを有する基板は、複数本の走査信号線と、絶縁層を介して前記複数本の走査信号線と立体的に交差する映像信号線と、２本の隣接する走査信号線および２本の隣接する映像信号線で囲まれた領域に対して配置されるＴＦＴ素子および画素電極と、対向電極とを有し、前記第１の導電層は、前記対向電極である液晶表示装置。
【発明の効果】
【００２０】
本発明の液晶表示装置は、液晶表示パネルの一対の基板のうちの一方の基板に、バスラインと、絶縁層を介して前記バスラインと立体的に交差する複数本の信号線が設けられていることを前提とする。そして、前記バスラインは、平面でみて前記信号線と重なる交差領域の外側に開口部を有し、その開口部は、各交差領域の両側に設けられていることを特徴とする。このようにすると、バスラインの幅（両端の距離）が広くても、開口部を設けた部分は、その開口部の幅の分だけ幅が狭くなる。そのため、たとえば、ある映像信号線とバスラインが短絡した場合、その映像信号線の交差領域の両側でバスラインを容易に切断でき、容易に修復することができる。
【００２１】
このとき、バスラインの開口部は、たとえば、２つの隣接する前記交差領域で挟まれた領域に、該交差領域における前記信号線の延在方向に、２つ以上の開口部を並べて配置すれば、バスラインの電気的な特性を維持しながらバスラインを切断しやすくすることができる。
【００２２】
なお、前記バスラインの、２つの隣接する前記交差領域で挟まれた領域に、前記信号線の延在方向に２つ以上の開口部を並べる場合、一方の交差領域の近傍から他方の交差領域の近傍まで延びる開口部を並べてもよいし、一方の交差領域の近傍に複数個の開口部を並べ、他方の交差領域の近傍に別の複数個の開口部を並べてもよい。
【００２３】
また、前記バスラインを有する基板は、平面でみて前記バスラインと重なる領域に、絶縁層を介して設けられた第２の導電層を有し、前記バスラインと前記第２の導電層とがスルーホールで電気的に接続されていてもよい。
【００２４】
また、本発明は、たとえば、ＩＰＳ方式の液晶表示パネルに適用される。このとき、前記バスラインを有する基板は、複数本の走査信号線と、絶縁層を介して前記複数本の走査信号線と立体的に交差する映像信号線と、２本の隣接する走査信号線および２本の隣接する映像信号線で囲まれた領域に対して配置されるＴＦＴ素子および画素電極と、対向電極とを有し、前記第１の導電層は、前記対向電極である。
【発明を実施するための最良の形態】
【００２５】
以下、本発明について、図面を参照して実施の形態（実施例）とともに詳細に説明する。
なお、実施例を説明するための全図において、同一機能を有するものは、同一符号を付け、その繰り返しの説明は省略する。
【実施例】
【００２６】
図１および図２は、本発明による一実施例の液晶表示パネルの概略構成を示す模式図である。
図１は、液晶表示パネルを観察者側からみた模式平面図である。図２は、図１のＡ−Ａ’線における模式断面図である。
【００２７】
本発明は、表示領域の外側にバスラインが設けられており、かつ、複数本の信号線が、絶縁層を介して前記バスラインと立体的に交差している基板を有する表示パネルを備える表示装置に関するものである。このような表示パネルの１つとして、液晶表示パネルがある。本実施例では、ＩＰＳ方式のような横電界駆動方式の液晶表示パネルを例に挙げ、本発明を適用した場合の構成および作用効果について説明する。
【００２８】
液晶表示パネルは、たとえば、図１および図２に示すように、一対の基板１，２の間に液晶材料３を封入した表示パネルである。このとき、一対の基板１，２は、表示領域ＤＡの外側に環状に配置されたシール材４で接着されており、液晶材料３は、一対の基板１，２およびシール材４で囲まれた空間に封入されている。
【００２９】
一対の基板１，２のうち、観察者側からみた外形寸法が大きい方の基板１は、一般に、ＴＦＴ基板と呼ばれる。図１および図２では省略しているが、ＴＦＴ基板１は、ガラス基板などの透明な基板の表面の上に、複数本の走査信号線と、絶縁層を介して前記複数本の走査信号線と立体的に交差する複数本の映像信号線が形成されている。そして、２本の隣接する走査信号線と２本の隣接する映像信号線で囲まれた領域が１つの画素領域に相当し、各画素領域に対してＴＦＴ素子や画素電極などが配置されている。また、ＴＦＴ基板１と対をなす他方の基板２は、一般に、対向基板と呼ばれる。
【００３０】
また、前記液晶表示パネルが、たとえば、ＩＰＳ方式のような横電界駆動方式の場合、ＴＦＴ基板１の画素電極と対向する対向電極（共通電極とも呼ばれる）は、ＴＦＴ基板１に設けられる。このとき、対向電極は、たとえば、表示領域ＤＡの外側に環状に設けられたコモンバスライン（図示しない）に接続されている。
【００３１】
次に、横電界駆動方式の液晶表示パネルにおける表示領域ＤＡの１画素の構成例について、図３乃至図５を参照して簡単に説明する。
【００３２】
図３は、本実施例の液晶表示パネルのＴＦＴ基板における１画素の構成例を示す模式平面図である。図４は、図３のＢ−Ｂ'線における模式断面図である。図５は、図３のＣ−Ｃ'線における模式断面図である。
【００３３】
横電界駆動方式の液晶表示パネルの場合、画素電極および対向電極（共通電極）は、ＴＦＴ基板１側に設けられる。このとき、ＴＦＴ基板１は、たとえば、図３乃至図５に示すように、ガラス基板ＳＵＢの表面に、ｘ方向に延在する複数本の走査信号線ＧＬが設けられており、走査信号線ＧＬの上には、第１の絶縁層ＰＡＳ１を介してｙ方向に延在し、複数本の走査信号線ＧＬと立体的に交差する複数本の映像信号線ＤＬが設けられている。そして、２本の隣接する走査信号線ＧＬと２本の隣接する映像信号線ＤＬによって囲まれた領域が１つの画素領域に相当する。
【００３４】
また、ガラス基板ＳＵＢの表面には、たとえば、画素領域毎に、平板状の対向電極ＣＴが設けられている。このとき、走査信号線ＧＬの延在方向（ｘ方向）に並んだ各画素領域の対向電極ＣＴは、走査信号線ＧＬと並行した共通信号線ＣＬによって電気的に接続されている。またこのとき、各共通信号線ＣＬは、表示領域ＤＡの外側において、コモンバスラインに電気的に接続されている。また、走査信号線ＧＬからみて、共通信号線ＣＬが設けられている方向と反対側には、対向電極ＣＴと電気的に接続されている共通接続パッドＣＰが設けられている。
【００３５】
また、第１の絶縁層ＰＡＳ１の上には、映像信号線ＤＬの他に、半導体層、ドレイン電極ＳＤ１、およびソース電極ＳＤ２が設けられている。このとき、半導体層は、たとえば、アモルファスシリコン（ａ−Ｓｉ）を用いて形成されており、各画素領域に対して配置されるＴＦＴ素子のチャネル層ＳＣとしての機能を持つものの他に、たとえば、走査信号線ＧＬと映像信号線ＤＬが立体的に交差する領域における走査信号線ＧＬと映像信号線ＤＬの短絡を防ぐもの（図示しない）がある。このとき、ＴＦＴ素子のチャネル層ＳＣとしての機能を持つ半導体層は、映像信号線ＤＬに接続しているドレイン電極ＳＤ１とソース電極ＳＤ２の両方が接続されている。
【００３６】
また、映像信号線ＤＬなどが形成された面（層）の上には、第２の絶縁層ＰＡＳ２を介して画素電極ＰＸが設けられている。画素電極ＰＸは、画素領域毎に独立した電極であり、第２の絶縁層ＰＡＳに設けられた開口部（スルーホール）ＴＨ１においてソース電極ＳＤ２と電気的に接続されている。また、対向電極ＣＴと画素電極ＰＸが、図３乃至図５に示したように、第１の絶縁層ＰＡＳ１および第２の絶縁層ＰＡＳ２を介して積層配置されている場合、画素電極ＰＸは、スリットＳＬが設けられたくし歯形状の電極になっている。
【００３７】
また、第２の絶縁層ＰＡＳ２の上には、画素電極ＰＸの他に、たとえば、走査信号線ＧＬを挟んで上下に配置された２つの対向電極ＣＴを電気的に接続するためのブリッジ配線ＢＲが設けられている。このとき、ブリッジ配線ＢＲは、走査信号線ＧＬを挟んで配置された共通信号線ＣＬおよび共通接続パッドＣＰとスルーホールＴＨ２，ＴＨ３によって接続される。
【００３８】
また、第２の絶縁層ＰＡＳ２の上には、画素電極ＰＸおよびブリッジ配線ＢＲを覆うように配向膜ＯＲＩが設けられている。なお、図示は省略するが、対向基板２は、ＴＦＴ基板１の配向膜ＯＲＩが設けられた面に対向するように配置される。
【００３９】
以下、１画素の構成が、図３乃至図５に示したような構成である液晶表示パネル（ＴＦＴ基板）に本発明を適用した場合の構成および作用効果を説明する。
【００４０】
図６は、図１の領域ＡＲ１におけるＴＦＴ基板の一構成例を示す模式平面図である。図７は、図６のＤ−Ｄ’線における模式断面図である。図８は、図６のＥ−Ｅ’線における模式断面図である。
【００４１】
本実施例の液晶表示パネルにおいて、図１に示した領域ＡＲ１のＴＦＴ基板１の構成は、たとえば、図６乃至図８に示すようになっている。図６の平面図において、走査信号線ＧＬ１は、複数本の走査信号線のうちの最外側に配置された信号線であり、表示領域ＤＡの外周に相当する。そして、表示領域ＤＡから見て走査信号線ＧＬ１の外側には、共通信号線ＣＬなどを介して対向電極ＣＴに接続されるコモンバスライン５が設けられている。
【００４２】
このとき、コモンバスライン５は、たとえば、走査信号線ＧＬと同時に形成される。そのため、コモンバスライン５は、たとえば、図６および図７に示すように、複数本の映像信号線と立体的に交差している。このとき、コモンバスライン５と映像信号線ＤＬが立体的に交差する交差領域には第１の絶縁層ＰＡＳ１および半導体層６が介在している。またこのとき、コモンバスライン５と映像信号線ＤＬの交差領域において、コモンバスライン５は、一方の端５ａから他方の端５ｂまで欠けることなく延在している。
【００４３】
また、コモンバスライン５は、たとえば、図６および図８に示すように、映像信号線ＤＬとの交差領域の外側に、開口部５ｃを有する。この開口部５ｃは、たとえば、図６に示したように、コモンバスライン５の、２つの隣接する交差領域に挟まれた領域毎に、映像信号線ＤＬの延在方向に２つの開口部５ｃを並べて設ける。
【００４４】
またこのとき、コモンバスライン５の、２つの隣接する交差領域に挟まれた領域には、たとえば、第１の絶縁層ＰＡＳ１および第２の絶縁層ＰＡＳ２を介して導電層７が設けられている。そして、導電層７は、第１の絶縁層ＰＡＳ１および第２の絶縁層ＰＡＳ２を開口して形成されたスルーホールＴＨ４においてコモンバスラインに接続されている。また、導電層７のうちのいくつかは、走査信号線ＧＬ１をまたいで画素領域にある共通接続パッドＣＰと電気的に接続されている。この導電層７は、たとえば、画素電極ＰＸと同時に形成される。
【００４５】
図９は、本実施例のＴＦＴ基板の作用効果を説明するための模式平面図である。
【００４６】
本実施例のＴＦＴ基板のように、表示領域ＤＡの外側にコモンバスライン５が設けられており、コモンバスライン５と映像信号線ＤＬが立体的に交差する場合、その交差領域には、図６乃至図８に示したように、第１の絶縁層ＰＡＳ１および半導体層６が介在している。また、コモンバスライン５と映像信号線ＤＬが交差する領域では、コモンバスライン５は、一方の端５ａから他方の端５ｂまで欠けることなく延在しており、ほぼ平坦な面の上で映像信号線ＤＬが交差している。そのため、通常は、映像信号線ＤＬがコモンバスライン５と接触して短絡することはない。
【００４７】
しかしながら、第１の絶縁層ＰＡＳ１や半導体層６を形成する工程において、成膜時の膜厚異常やパターニング時のエッチング不良などによって、映像信号線ＤＬがコモンバスライン５と接触して短絡することがある。そして、従来の開口部５ｃがないコモンバスラインの場合、その幅が広いので、たとえば、コモンバスラインを切断して短絡した部分を分離することが困難であった。
【００４８】
一方、本実施例のＴＦＴ基板において、コモンバスライン５は、たとえば、図６に示した映像信号線ＤＬｎの両側で、開口部５ｃにより、映像信号線ＤＬｎの延在方向に沿って３つに分離されており、それぞれの幅は、たとえば、走査信号線ＧＬ１の幅とほぼ等しい。そのため、たとえば、映像信号線ＤＬｎがコモンバスライン５と短絡した場合は、図９に示すように、映像信号線ＤＬｎの両側にある、開口部５ｃにより分離されて幅が細くなっている箇所を切断することで、コモンバスライン５の短絡した部分を容易に切り離すことができる。コモンバスライン５を切断するときには、たとえば、レーザーを照射すればよい。
【００４９】
またこのとき、コモンバスライン５は、表示領域ＤＡを囲むように環状に設けられているので、図９において、映像信号線ＤＬｎの右側にあるコモンバスライン５と、左側にあるコモンバスライン５は、電気的に接続された状態になっている。
【００５０】
このように、本実施例のＴＦＴ基板１によれば、表示領域ＤＡの外側に設けられたコモンバスライン５と映像信号線ＤＬが短絡したときに、コモンバスライン５の短絡した部分のみを容易に分離することができる。そのため、コモンバスライン５と映像信号線ＤＬの短絡不良の修復が容易になる。また、その結果、ＴＦＴ基板１（液晶表示パネル）の製造歩留まりが向上する。
【００５１】
図１０は、本実施例の第１の変形例を説明するための模式平面図である。図１１は、本実施例の第２の変形例を説明するための模式平面図である。なお、図１０および図１１はそれぞれ、図１の領域ＡＲ１におけるコモンバスライン５の周辺のみを取り出して示した平面図である。
【００５２】
本実施例では、コモンバスライン５の映像信号線ＤＬと立体的に交差する交差領域の外側に開口部５ｃを設け、映像信号線ＤＬと短絡した部分を容易に分離できるようにしている。このとき、コモンバスライン５に設ける開口部５ｃの開口端の平面形状は、図６に示したような矩形状に限らず、種々の形状を適用できることはもちろんである。つまり、開口部５ｃの開口端の平面形状は、たとえば、図１０に示すように、導電層７とコモンバスライン５を接続するスルーホールＴＨ４を形成する領域およびその周辺のみで分離されたコモンバスラインの幅が広くなるような形状であってもよい。この場合、スルーホールＴＨ４を形成する領域の外側では、開口部５ｃにより分離された各コモンバスラインの幅を狭くすることができるので、短時間で容易に切断することができる。
【００５３】
また、図６および図１０に示した例では、２本の隣接する映像信号線ＤＬの間に、一方の映像信号線の近傍から他方の映像信号線の近傍まで延びる開口部５ｃを、映像信号線の延在方向に２つ並べている。しかしながら、コモンバスライン５の開口部５ｃは、このような配置に限らず、たとえば、図１１に示すように、一方の映像信号線の近傍に２つの開口部５ｃを並べ、他方の映像信号線の近傍に別の２つの開口部５ｃを並べてもよいことはもちろんである。このようにすれば、スルーホールＴＨ４において接続される導電層７とコモンバスライン５の接触面積を広くすることができる。
【００５４】
なお、本実施例では、コモンバスライン５と映像信号線ＤＬが立体的に交差している領域を挙げているが、これに限らず、コモンバスライン５と走査信号線ＧＬが立体的に交差している領域でも同様のことがいえるのはもちろんである。コモンバスライン５と走査信号線ＧＬが立体的に交差している領域では、コモンバスライン５は、映像信号線ＤＬなどと同時に形成されており、第１の絶縁層ＰＡＳ１および半導体層６を介して複数本の走査信号線ＧＬが立体的に交差している。そのため、コモンバスライン５と走査信号線ＧＬが立体的に交差している領域についても、コモンバスライン５に、図６、図１０、および図１１に示したような開口部５ｃを設けておけば、走査信号線ＧＬとコモンバスライン５が短絡したときに、コモンバスライン５の短絡した部分のみを容易に分離することができる。
【００５５】
図１２および図１３は、本実施例のＴＦＴ基板の別の作用効果を説明するための模式図である。
図１２は、従来のコモンバスラインの形状を説明するための模式平面図である。図１３は、本実施例のＴＦＴ基板におけるコモンバスラインのより望ましい構成を説明するための模式平面図である。
【００５６】
従来のＴＦＴ基板において、表示領域の外側にコモンバスラインを設けるときには、たとえば、図１２に示すように、最外側に配置される走査信号線ＧＬ１の近傍にコモンバスライン５が配置されている。このとき、基板上に成膜した導電膜をエッチングして、複数本の走査信号線ＧＬとコモンバスライン５を同時に形成するのであれば、たとえば、走査信号線ＧＬを形成する領域およびコモンバスライン５を形成する領域のそれぞれにエッチングレジスト（マスク）が形成される。
【００５７】
しかしながら、図１２に示したように、走査信号線ＧＬ１の近傍に、走査信号線ＧＬ１に比べて非常に面積が広いコモンバスライン５を形成する場合、走査信号線ＧＬ１として残す領域のレジストパターンを形成しにくくなり、走査信号線ＧＬ１の幅が狭くなってしまうことがあった。
【００５８】
一方、本実施例のＴＦＴ基板では、コモンバスライン５に、たとえば、図６、図１０、図１１に示したような開口部を形成するので、コモンバスライン５として残す領域のレジストパターンの面積が、従来のものに比べて狭くなる。すなわち、本実施例のＴＦＴ基板１は、走査信号線ＧＬ１として残す領域のレジストパターンを形成しやすくし、走査信号線ＧＬ１の幅が狭くなるのを防ぐという効果も期待できる。
【００５９】
また、表示領域ＤＡの外側に設けられるコモンバスライン５のうち、映像信号線ＤＬの、映像信号が入力される端部の近傍に設けられるコモンバスラインには、図１２に示すように、コモン入力用のベタパターン５ｄが設けられている。このベタパターン５ｄは、ＴＦＴ基板１の端部まで延在している。このような巨大なベタパターン５ｄが設けられていると、その近傍では、走査信号線ＧＬ１として残す領域のレジストパターンをさらに形成しにくくなり、走査信号線ＧＬ１の幅がさらに狭くなってしまうことがある。また、本実施例のようにコモンバスライン５に開口部５ｃを形成する場合、巨大なベタパターン５ｄの近傍では、レジストパターンに開口部を形成しにくく、開口部５ｃの開口端の形状にばらつきが生じる可能性がある。
【００６０】
そこで、本実施例のＴＦＴ基板１において、走査信号線ＧＬの幅が狭くなるのを防ぐ効果をより一層高くするには、たとえば、図１３に示すように、ベタパターン５ｄにスリットＳＬを設けることが望ましい。なお、ベタパターン５ｄに設けるスリットＳＬのパターンは、図１３に示したようなパターンに限らず、種々のパターンが適用可能であることはもちろんである。
【００６１】
以上、本発明を、前記実施例に基づき具体的に説明したが、本発明は、前記実施例に限定されるものではなく、その要旨を逸脱しない範囲において、種々変更可能であることはもちろんである。
【００６２】
たとえば、前記実施例では、１画素の構成が、図３乃至図５に示したような構成の横電界駆動方式の液晶表示パネル（ＴＦＴ基板１）を例に挙げたが、これに限らず、ＴＮ方式やＶＡ方式などの縦電界駆動方式の液晶表示パネルにも、本発明を適用できることはもちろんである。
【００６３】
縦電界駆動方式の液晶表示パネルの場合、たとえば、ＴＦＴ基板１に走査信号線ＧＬと並行した保持容量線が設けられていることがある。このとき、各保持容量線は、たとえば、表示領域ＤＡの外側でコモンバスラインに接続されている。そのため、コモンバスラインは、走査信号線や映像信号線と立体的に交差する。この場合も、コモンバスラインに、たとえば、図６、図１０、図１１に示したような開口部５ｃを形成することで、コモンバスラインの、信号線と短絡した部分を容易に分離することができる。
【００６４】
また、前記実施例では、液晶表示パネルのＴＦＴ基板を例に挙げたが、これに限らず、表示領域の外側にバスラインが設けられており、かつ、複数本の信号線が、絶縁層を介して前記バスラインと立体的に交差している基板を有する表示パネルを備える表示装置であれば、本発明を適用できることはもちろんである。
【図面の簡単な説明】
【００６５】
【図１】液晶表示パネルを観察者側からみた模式平面図である。
【図２】図１のＡ−Ａ’線における模式断面図である。
【図３】本実施例の液晶表示パネルのＴＦＴ基板における１画素の構成例を示す模式平面図である。
【図４】図３のＢ−Ｂ'線における模式断面図である。
【図５】図３のＣ−Ｃ'線における模式断面図である。
【図６】図１の領域ＡＲ１におけるＴＦＴ基板の一構成例を示す模式平面図である。
【図７】図６のＤ−Ｄ’線における模式断面図である。
【図８】図６のＥ−Ｅ’線における模式断面図である。
【図９】本実施例のＴＦＴ基板の作用効果を説明するための模式平面図である。
【図１０】本実施例の第１の変形例を説明するための模式平面図である。
【図１１】本実施例の第２の変形例を説明するための模式平面図である。
【図１２】従来のコモンバスラインの形状を説明するための模式平面図である。
【図１３】本実施例のＴＦＴ基板におけるコモンバスラインのより望ましい構成を説明するための模式平面図である。
【符号の説明】
【００６６】
１…ＴＦＴ基板
ＳＵＢ…ガラス基板
ＧＬ，ＧＬ１…走査信号線
ＣＬ…共通信号線
ＣＰ…共通接続パッド
ＣＴ…対向電極
ＰＡＳ１…第１の絶縁層
ＤＬ，ＤＬｎ…映像信号線
ＳＤ１…ドレイン電極
ＳＤ２…ソース電極
ＳＣ…ＴＦＴ素子のチャネル層（半導体層）
ＰＡＳ２…第２の絶縁層
ＰＸ…画素電極
ＳＬ…スリット
ＢＲ…ブリッジ配線
ＯＲＩ…配向膜
２…対向基板
３…液晶材料
４…シール材
５…コモンバスライン
５ｃ…開口部
５ｄ…ベタパターン
６…半導体層
７…導電層
ＴＨ１，ＴＨ２，ＴＨ３，ＴＨ４，ＴＨ５…スルーホール
【図１】
2007322640.tif 000003
【図２】
2007322640.tif 000004
【図３】
2007322640.tif 000005
【図４】
2007322640.tif 000006
【図５】
2007322640.tif 000007
【図６】
2007322640.tif 000008
【図７】
2007322640.tif 000009
【図８】
2007322640.tif 000010
【図９】
2007322640.tif 000011
【図１０】
2007322640.tif 000012
【図１１】
2007322640.tif 000013
【図１２】
2007322640.tif 000014
【図１３】
2007322640.tif 000015
【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
一対の基板の間に液晶材料が封入された液晶表示パネルを有する液晶表示装置であって、
前記一対の基板のうちの一方の基板は、表示領域の外側に配置され、かつ、前記表示領域の内側にある第１の導電層と電気的に接続されたバスラインと、
絶縁層を介して前記バスラインと立体的に交差する複数本の信号線とを有し、
前記バスラインは、平面でみて前記信号線と重なる交差領域の外側に開口部を有し、
前記開口部は、各交差領域の両側に設けられていることを特徴とする液晶表示装置。
【請求項２】
前記バスラインは、２つの隣接する前記交差領域で挟まれた領域に、該交差領域における前記信号線の延在方向に並んだ２つ以上の開口部を有することを特徴とする請求項１に記載の液晶表示装置。
【請求項３】
前記バスラインは、２つの隣接する前記交差領域で挟まれた領域に、前記２つの隣接する交差領域のうちの一方の交差領域の近傍で、該交差領域における前記信号線の延在方向に並んだ２つ以上の開口部と、
前記２つの隣接する前記交差領域のうちの他方の交差領域の近傍で、該交差領域における前記信号線の延在方向に並んだ２つ以上の開口部とを有することを特徴とする請求項１または請求項２に記載の液晶表示装置。
【請求項４】
前記バスラインを有する基板は、平面でみて前記バスラインと重なる領域に、絶縁層を介して設けられた第２の導電層を有し、
前記バスラインと前記第２の導電層とは、スルーホールで電気的に接続されていることを特徴とする請求項１乃至請求項３のいずれか１項に記載の液晶表示装置。
【請求項５】
前記バスラインを有する基板は、複数本の走査信号線と、絶縁層を介して前記複数本の走査信号線と立体的に交差する映像信号線と、２本の隣接する走査信号線および２本の隣接する映像信号線で囲まれた領域に対して配置されるＴＦＴ素子および画素電極と、対向電極とを有し、
前記第１の導電層は、前記対向電極であることを特徴とする請求項１乃至請求項４に記載の液晶表示装置。
【請求項６】
一対の基板の間に液晶材料が封入された液晶表示パネルを有する液晶表示装置であって、
前記一対の基板のうちの一方の基板は、複数本の走査信号線と、絶縁層を介して前記複数本の走査信号線と立体的に交差する映像信号線と、絶縁層を介して前記走査信号線または前記映像信号線と立体的に交差する共通信号線と、表示領域の外側に配置され、かつ、前記共通信号線に電気信号を供給するバスラインとを有し、
前記走査信号線または前記映像信号線は、絶縁層を介して前記バスラインと立体的に交差する交差領域を有し、
前記バスラインは、平面でみた前記交差領域以外の領域に開口部を有することを特徴とする液晶表示装置。
【請求項７】
前記一方の基板は、前記各交差領域の間であり、かつ、前記バスラインと重畳する位置に、絶縁層を介して導電膜が形成されており、
当該導電膜は、前記絶縁層に形成されたスルーホールを介して前記バスラインと電気的に接続されていることを特徴とする請求項６に記載の液晶表示装置。
【請求項８】
前記導電膜は、前記共通信号線に接続されていることを特徴とする請求項７に記載の液晶表示装置。
【請求項９】
前記開口部は、前記各交差領域の間に、複数設けられていることを特徴とする請求項７に記載の液晶表示装置。
【請求項１０】
前記開口部は、矩形状であることを特徴とする請求項９に記載の液晶表示装置。
【請求項１１】
前記開口部間のバスラインの線幅のうちの、前記スルーホールが形成されている部分の線幅は、他の部分の線幅よりも太いことを特徴とする請求項９に記載の液晶表示装置。
【請求項１２】
２本の隣接する前記走査信号線および２本の隣接する前記映像信号線で定義される画素領域のそれぞれは、ＴＦＴ素子、画素電極、および対向電極を有し、
前記対向電極は、前記走査信号線および前記映像信号線とともに前記一方の基板に形成されており、
前記導電膜は、前記対向電極に接続されていることを特徴とする請求項７に記載の液晶表示装置。
【請求項１３】
２本の隣接する前記走査信号線および２本の隣接する前記映像信号線で定義される画素領域のそれぞれは、ＴＦＴ素子、画素電極、および対向電極を有し、
前記対向電極は、前記一対の基板のうちの前記走査信号線および前記映像信号線を有する前記一方の基板とは異なる基板に形成されており、
前記一方の基板は、保持容量線を有し、
前記導電膜は、前記保持容量線に接続されていることを特徴とする請求項７に記載の液晶表示装置。
【手続補正２】
【補正対象書類名】明細書
【補正対象項目名】００４４
【補正方法】変更
【補正の内容】
【００４４】
またこのとき、コモンバスライン５の、２つの隣接する交差領域に挟まれた領域には、たとえば、第１の絶縁層ＰＡＳ１および第２の絶縁層ＰＡＳ２を介して導電層７が設けられている。そして、導電層７は、第１の絶縁層ＰＡＳ１および第２の絶縁層ＰＡＳ２を開口して形成されたスルーホールＴＨ４においてコモンバスラインに接続されている。また、導電層７のうちのいくつかは、走査信号線ＧＬ１をまたいで画素領域にある共通接続パッドＣＰを介して対向電極ＣＴと電気的に接続されている。この導電層７は、たとえば、画素電極ＰＸと同時に形成される。
なお、図６は、図１の領域ＡＲ１（表示領域ＤＡの長辺側の端部近傍）の位置の拡大図であるため、導電層７は対向電極ＣＴに直接接続されているが、表示領域ＤＡの短辺側の端部近傍においては、前述のように、導電層７は共通信号線ＣＬに接続される。
【手続補正３】
【補正対象書類名】図面
【補正対象項目名】図２
【補正方法】変更
【補正の内容】
【図２】
2007322640.tif 000016
【手続補正４】
【補正対象書類名】図面
【補正対象項目名】図６
【補正方法】変更
【補正の内容】
【図６】
2007322640.tif 000017